(57)【要約】【課題】複雑な拘束手段を用いることなく、キャスタを固定状態から収納可能な屈曲状態にすることができる自重落下式拘束具を有するキャスタを提供するとともに、これを用いた簡便でコンパクトにまとめられた移動用具を提供する。【解決手段】キャスタ１は回転輪支持部２とこれにピン結合される取付け保持部３とこれ等を固定又は固定解除する把持具４とからなる。この把持具４を自重で落下させることにより回転輪支持部２と取付け保持部３とは固定される。また、拘束具４に振動を与えるだけで両者は自由状態になる。また、このキャスタ１を用いた移動用具は折り畳み自在構造からなり、キャスタ１を拘束解除収納可能な屈曲形態にすることにより一体的な箱体状に重合されてまとめられ、バッグ等に収納して持ち運びすることができる。【選択図】　　　図１
2004142608.tif 000002
【特許請求の範囲】
【請求項１】
一端側で回転輪を枢支し他端側に軸部を形成すると共に軸部の基端に拡径された座面を形成する回転輪支持部と、前記軸部にピン連結されその一端部を前記座面に寸法ａだけ近接する位置に配置し他端部に拡径された取付け座面を前記軸部の先端から離れた位置に形成する取付け保持部と、該取付け保持部の外周に摺動自在に装着され前記座面と取付け座面との間を移動するリング状の拘束具とを備え、前記拘束具の厚みｔが少なくとも前記寸法ａよりも厚く形成され、かつ前記軸部の先端と前記取付け座面の裏面間の寸法ｂが前記拘束具の厚みｔよりも大寸に形成されることを特徴とする自重落下式拘束具を有するキャスタ。
【請求項２】
前記拘束具が前記取付け保持部の外周に沿って自重で落下可能な重みを有することを特徴とする自重落下式拘束具を有するキャスタ。
【請求項３】
前記請求項１又は２に記載の自重落下式拘束具を有するキャスタを下面の脚部として備える移動用具であって、該移動用具は、その表面上に積載物を搭載する平板面を形成すると共にその裏面に前記キャスタを固定し裏面側に前記キャスタの回転輪の露出可能な開口部を有する枠体状床板部と、該枠体状床板部の一側端に回動自在に連結され、前記開口部を閉止する位置から前記枠体状床板部の表面の一側端から上方に立上り前記積載物の側面側を保持し得る位置まで回動する背板部と、該背板部内に出入自在に保持され引出し位置及び収納位置に保持される把持具とを設けることを特徴とする自重落下式拘束具を有するキャスタ付き移動用具。
【請求項４】
前記移動用具は、不使用時において前記枠体状床板部と背板部とが重合し、かつ前記把持具が前記背板部内に収納されて全体として箱体状の形態にまとめられるものからなることを特徴とする請求項３に記載の自重落下式拘束具を有するキャスタ付き移動用具。
【発明の詳細な説明】
【０００１】
【発明の属する技術分野】
本発明は、キャスタと該キャスタを脚部とする移動用具に係り、特に、キャスタが拘束具の自重移動により屈曲自在及び拘束固定された状態になり、極めて簡便構造で取扱性の向上も図れる自重落下式拘束具を有するキャスタ及びそのキャスタ付き移動用具に関する。
【０００２】
【従来の技術】
回転輪を有するキャスタには各種のものがあり、固定式のものに限らず回転輪と取付部とが屈曲自在の連結構造でまとめられている形式のものも多い。然し乍ら、キャスタはその使用時においては回転輪の部分と取付部とが固定構造になることが必要のため、前記のように屈曲自在の連結構造のものは別体の拘束具を必要とする。逆に回転輪の部分を屈曲させて収納する場合には前記拘束具の拘束を手動等により解除する必要があり取扱いが面倒であり、全体構造も複雑のものになりコスト高となる問題点がある。
【０００３】
【発明が解決しようとする課題】
回転輪の部分と取付部とが屈曲自在に連結されることは不使用におけるキャスタの収納を容易にするために必要であるが、このために前記したような拘束具の手動による解除作業が必要になる。然し乍ら、この作業はない方が望ましい。一方、従来のキャスタ付きの移動用具１００ａは図１０に示すように固定式のものからなる。即ち、積載物を搭載するための床板３１と、この一側端に立上り形成される背板部３２と把持具３３等が夫々固定式に連結されるものからなり、キャスタ３４も固定式で床板３１の下面に取付けられている構造のものからなる。従って、全体としてかなり小型のものであっても不使用時の収納空間としてはかなり大きなスペースが必要になり、到底手持ちのバッグ等に収納することは不可能である。一方、キャスタを有する移動用具は少し重い物品を運搬する場合に便利であり、仮りに常時手持ちのバッグ等に収納して持ち運び自在のものであれば重い物品を手持ちする必要がなく極めて便利である。
【０００４】
本発明は、以上の要請に鑑みて発明されたものであり、キャスタが屈曲自在のものからなり、かつ手動による拘束具の解除等が全く不用であり、かつ全体として折り畳み可能でコンパクトにまとめられ、不使用時においては手持ちのバッグ等に収納して持ち運びできるキャスタ付き移動用具を提供することを目的とする。
【０００５】
【課題を解決するための手段】
本発明は、以上の目的を達成するために、請求項１の自重落下式拘束具を有するキャスタは、一端側で回転輪を枢支し他端側に軸部を形成すると共に軸部の基端に拡径された座面を形成する回転輪支持部と、前記軸部にピン連結されその一端部を前記座面に寸法ａだけ近接する位置に配置し他端部に拡径された取付け座面を前記軸部の先端から離れた位置に形成する取付け保持部と、該取付け保持部の外周に摺動自在に装着され前記座面と取付け座面との間を移動するリング状の拘束具とを備え、前記拘束具の厚みｔが少なくとも前記寸法ａよりも厚く形成され、かつ前記軸部の先端と前記取付け座面の裏面間の寸法ｂが前記拘束具の厚みｔよりも大寸に形成されることを特徴とする。以上の構造により、拘束具を座面に当接する位置に移動すると回転輪支持部と取付け保持部とが回動できない拘束状態となり、回転輪は固定状態となる。一方、拘束具に振動を与え、取付け座面に当接する位置にまで移動することにより回転輪支持部は屈曲自在となり、収納し易い形態となる。
【０００６】
本発明の請求項２の自重落下式拘束具を有するキャスタは、前記拘束具が前記取付け保持部の外周に沿って自重で落下可能な重みを有することを特徴とする。拘束具は自重で移動し得る重みを有するものからなるため、請求項１に示す拘束具の移動は特別の手動動作を要することなくキャスタ自体を垂直状態にしたり、上下又は左右にキャスタを振って拘束具に振動を与えればよい。
【０００７】
また、本発明の請求項３の自重落下式拘束具を有するキャスタ付き移動用具は、前記請求項１又は２に記載の自重落下式拘束具を有するキャスタを下面の脚部として備える移動用具であって、該移動用具は、その表面上に積載物を搭載する平板面を形成すると共にその裏面に前記キャスタを固定し裏面側に前記キャスタの回転輪の露出可能な開口部を有する枠体状床板部と、該枠体状床板部の一側端に回動自在に連結され、前記開口部を閉止する位置から前記枠体状床板部の表面の一側端から上方に立上り前記積載物の側面側を保持し得る位置まで回動する背板部と、該背板部内に出入自在に保持され引出し位置及び収納位置に保持される把持具とを設けることを特徴とする。以上の構造により使用時には枠体状床板部と背板部とを積載物を搭載及び保持する形態にし、把持具を背板部から引出して保持することにより移動用具は組み上げられ、積載物の運搬が可能になる。
【０００８】
また、本発明の請求項４の自重落下式拘束具を有するキャスタ付き移動用具は、前記移動用具は、不使用時において前記枠体状床板部と背板部とが重合し、かつ前記把持具が前記背板部内に収納されて全体として箱体状の形態にまとめられるものからなることを特徴とする。以上のように、不使用時には枠体状床板部と背板部を重合させ背板部に把持具を収納することにより箱体状にコンパクトにまとめられ、小型のものの場合にはバッグ等に収納でき、持ち運びすることができる。
【０００９】
【発明の実施の形態】
以下、本発明の自重落下式拘束具を有するキャスタ及びそのキャスタ付き移動用具の実施の形態を図面を参照して詳述する。図１乃至図５は本発明のキャスタの構造及び使用方法を説明する図であり、図６乃至図８はそのキャスタを用いた移動用具の使用時における形態を示す図であり、図９は移動用具の不使用時の収納状態を示す図である。まず、図１乃至図３により本発明のキャスタの構造を説明する。
【００１０】
図１及び図２に示すように、本発明の自重落下式拘束具を有するキャスタ１（以下、キャスタ１と言う）は大別して回転輪支持部２と、取付け保持部３及び拘束具４等とから構成される。
【００１１】
回転輪支持部２は、回転輪５と、これを一端側で枢支する略Ｌ字形状のブロック６と、このブロック６の他端側に挿着される軸体部７とからなる。なお、軸体部７は、ブロック６に挿着されて抜け止めされるシャフト部８と、座面９と、座面９を基端としてこれから突出する軸部１０とからなる。なお、本実施の形態では軸部１０は図３に示すように円筒の外面を切断し相対向する二面１０ａ，１０ａを形成したものからなる。
【００１２】
一方、取付け保持部３は、回転輪支持部２の軸部１０にピン１１によりピン連結される部材からなり、詳しくは、軸部１０に嵌り込む嵌め込み円筒軸１２と、この他端部に形成される拡径状の取付け座面１４とからなる。なお、嵌め込み円筒軸１２は図１及び図３に示すように円筒の中心部にすり割り１３を入れたものからなり、このすり割り１３の部分で軸部１０の平面１０ａ，１０ａに嵌り込む形状のものからなる。また、取付け保持部３はピン１１で回転輪支持部２に連結された状態で嵌め込み円筒軸１２の一端部（図１の下端部）は回転輪支持部２の座面９の上面から寸法ａだけ離れた位置にあり、取付け座面１４の裏面（図１における取付け座面１４の下面）は軸部１０の先端（図１の上面）から寸法ｂだけ離れた位置に配置される形状からなる。
【００１３】
拘束具４は図１，図２に示すように、リング状部材からなり、取付け保持部３の嵌め込み円筒軸１２の外周に挿着され、この軸線方向に沿って摺動自在のものからなる。その厚みｔは図１に示すように嵌め込み円筒軸１２の下端と座面９の上面との間の寸法ａよりも厚く、軸部１０の上端と取付け座面１４の下面との間の寸法ｂよりも薄い寸法のものからなる。また、この拘束具４はキャスタ１を図１，図２に示すように垂直状態にした場合に自重で落下し、座面９に当接し得る重さのものからなり、また、キャスタ１を略横（水平）にして振った場合に座面９から離れて取付け座面１４に当接し得る位置まで簡便に移動できる重さ及び形状のものからなる。
【００１４】
次に、図４，図５によりキャスタ１の拘束及び拘束解除の形態について説明する。図４はキャスタ１が拘束された状態を示す。即ち、キャスタ１は使用時には図４に示す状態になる。キャスタ１を垂直状態にすると、前記したように拘束具４が回転輪支持部２の座面９に当接する位置に自重により下る。拘束具４の厚みｔは前記のように寸法ａよりも大きいため、図４に示すように軸部１０にピン１１で連結されている取付け保持部３の嵌め込み円筒軸１２はピン結合されていても不動の状態となる。よって、この状態では回転輪支持部２と取付け保持部３とは一体的構造となる。このため、取付け座面１４を図略の移動用具に固定するとこの移動用具のキャスタとしてキャスタ１は機能することになる。
【００１５】
一方、例えば、キャスタ１を図４の状態から略水平方向にしながらこれに振動を与えると拘束具４は嵌め込み円筒軸１２の外周に沿って移動し、取付け座面１４に当接する位置まで移動することができる。これにより、嵌め込み円筒軸１２の軸部１０への拘束が解除され、取付け保持部３は図５に示すようにピン１１を中心に回動することができ、取付け支持部３と回転輪支持部２とは直交する状態になる。即ち、取付け保持部３を垂直状態にした場合には回転輪支持部２を水平状態にすることができる。従って、キャスタ１の不使用時には図５の状態にキャスタ１を位置付けることができる。
【００１６】
次に、以上の構造のキャスタ１を用いた移動用具について説明する。移動用具としては各種形態のものがあるが、１つの実施の形態を図６等に示す。この移動用具１００は、大別して、枠体状床板部１６と、背板部１７と、把持具１８等とからなり、前記のキャスタ１は枠体状床板部１６の下面側に取付けられる。なお、図７に示すように本実施の形態の移動用具１００ではキャスタ１は３個使用され図の位置に配置されるが、勿論これに限定するものではない。また、図６に示すようにキャスタ１は内側の２つと外側の１つは垂直状態における全長が相異し、外側のキャスタ１が長寸に形成される。これは図８に示すように移動用具１００を人１９が使用する場合、地面１５に対して移動用具１００が人１９の側に少し傾斜させその移動の円滑化を図るためである。
【００１７】
枠体状床板部１６は図６，図７に示すように表面上に積載物（図略）を搭載するための平板面２０を形成し、下面側に開口部２１を形成する枠体からなり、例えば、平板面２０の大きさはＡ５サイズの小型のものからなる。この平板面２０の裏面にはキャスタ１が固定される。即ち、キャスタ１の取付け座面１４が固定される。
【００１８】
背板部１７はヒンジ２２等により枠体状床板部１６の一側面に回動自在に連結される枠体状の部材からなり、枠体状床板部１６の横寸法と略等しい幅寸法で適宜の高さ寸法のものからなる。また、背板部１７の両端側には図６に示すように、把持具１８の挿入される挿入穴２３が形成される。この挿入穴２３は行き止り穴からなり、その入口部には弾性部材２４が着脱可能に挿着されている。勿論、この弾性部材２４はなくてもよいが、把持具１８の安定保持のためにはあった方が好ましい。
【００１９】
把持具１８は図６に示すように、本実施の形態では挿入穴２３に挿入可能なガイド座面２５を下端に形成し、このガイド座面２５から立ち上がるテーパ軸２６と、テーパ軸２６の上端に固定される把手２７等とからなる。なお、テーパ軸２６は上方に向かって縮径されたテーパの形状からなり、ガイド座面２５に近い位置におけるテーパ軸２６の外径は弾性部材２４の内径よりも大寸法のものからなる。また、テーパ軸２６の把手２７に連結する位置には弾性部材２４に軽く嵌挿し得る弾性部材２８が設けられている。これは把持具１８の収納時における安定保持のためであり、あった方が好ましい。
【００２０】
図６，図８は本実施の形態の移動用具１００の使用時の状態を示すものである。図示のように、枠体状床板部１６にはキャスタ１が垂直状態で取付けられ、背板部１７は上方側に回動し、立ち上がった状態に保持される。また、把持具１８は背板部１７の挿入穴２３から引出され、そのテーパ軸２６の下端側又はガイド座面２５は弾性部材２４に固持又は当接した状態に保持される。以上により、図８に示すように、人１９は移動用具１００の枠体状床板部１６上に積載物２９を搭載し、把持具１８を握って地面１５に沿って移動用具１００を円滑に移動させることができる。また、積載物２９は背板部１７によりその側面側を安定保持される。
【００２１】
図９は移動用具１００の不使用時の状態を示す。まず、把持具１８を挿入穴２３内に押し込み弾性部材２８を弾性部材２４に嵌着し保持される。次に、移動用具１００の全体を垂直状態から略水平状態にしながら振動を与えると前記のようにキャスタ１の拘束具１４が拘束解除され、キャスタ１は図５や図９に示すように水平状態になる。従って、背板部１７を回動することにより枠体状床板部１６の開口部２１が背板部１７に閉止可能となり、枠体状床板部１６と背板部１７とは図９に示すように重合し一体形状の箱体となる。なおロック金具３０によりこの重合状態を保持するようにしてもよい。以上により、移動用具１００はサイズＡ５の箱体となり、手持ちのバッグ等に収納することができる。また、使用時にはバッグ等から随時取り出せばよい。
【００２２】
【発明の効果】
１）本発明の請求項１の自重落下式拘束具を有するキャスタによれば、キャスタを略垂直状態にすることにより拘束具を座面に当接する位置に移動でき、キャスタを簡単に固定状態にすることができる。また、拘束具に振動を与えることにより拘束具による拘束が解除され、キャスタを収納可能の水平状態にすることが簡単にできる。即ち、特別の固定具やこの解除動作をすることなく、キャスタの固定及び解放ができる。
２）本発明の請求項２の自重落下式拘束具を有するキャスタによれば、拘束具は自重により移動可能のものからなり、キャスタの固定及びその解除が極めて容易にできる。
３）本発明の請求項３の自重落下式拘束具を有するキャスタ付き移動用具によれば、特別の面倒な作業をすることなく、移動用具が組み上げられ、積載物を円滑に移動することができる。
４）本発明の請求項４の自重落下式拘束具を有するキャスタ付き移動用具によれば、不使用時にはコンパクトな箱体状のものに収納でき、かつ小型のためバッグ等に収納して運搬することができる。よって、使用時にはバッグ等から取り出して組み上げればよく、極めて便利である。
【図面の簡単な説明】
【図１】本発明の自重落下式拘束具を有するキャスタの全体構造を示す側面図。
【図２】図１の正面図。
【図３】図２のＡ−Ａ線拡大断面図。
【図４】本発明のキャスタの使用時の状態を示す正面図。
【図５】本発明のキャスタの収納時の状態を示す正面図。
【図６】本発明のキャスタを用いた移動用具の全体構造を示す断面図。
【図７】図６の上面図。
【図８】図６，図７に示す移動用具の使用形態を示す模式図。
【図９】本発明の移動用具の不使用時の収納状態を示す斜視図。
【図１０】従来の一般的な移動用具を示す模式的斜視図。
【符号の説明】
１　　　自重落下式拘束具を有するキャスタ（キャスタ）
２　　　回転輪支持部
３　　　取付け保持部
４　　　拘束具
５　　　回転輪
６　　　ブロック
７　　　軸体部
８　　　シャフト部
９　　　座面
１０　　軸部
１０ａ　平面
１１　　ピン
１２　　嵌め込み円筒軸
１３　　すり割り
１４　　取付け座面
１５　　地面
１６　　枠体状床板部
１７　　背板部
１８　　把持具
１９　　人
２０　　平板面
２１　　開口部
２２　　ヒンジ
２３　　挿入穴
２４　　弾性部材
２５　　ガイド座面
２６　　テーパ軸
２７　　把手
２８　　弾性部材
２９　　積載物
３０　　ロック金具
１００　移動用具
【図１】
2004142608.tif 000003
【図２】
2004142608.tif 000004
【図３】
2004142608.tif 000005
【図４】
2004142608.tif 000006
【図５】
2004142608.tif 000007
【図６】
2004142608.tif 000008
【図７】
2004142608.tif 000009
【図８】
2004142608.tif 000010
【図９】
2004142608.tif 000011
【図１０】
2004142608.tif 000012